(57)【要約】【課題】住宅等の建築物において欠陥や経年変化に伴って発生する壁のひび割れ，雨漏り，歪み等の情報と、生活や自然現象に伴って発生する結露，温度，振動等の情報を、外部より容易に取得管理して問題箇所の正確な特定と緊急性を有する場合には警報を行うことができ、更にはシステム構築が安価に実施できる、住宅内環境情報取得管理システムを得る。【解決手段】住宅等の建築物における壁内面，天井裏，屋根裏，床下等の必要箇所にセンサ機能付きＲＦＩＤタグを設置し、更には前記センサ機能付きＲＦＩＤタグにひび割れ検知センサ，雨漏り検知センサ，歪み検知センサ，結露検知センサ，火災検知センサ，振動検知センサの何れかを１つ以上接続し、外部のリーダーよりデータ読取りコマンドを前記センサ機能付きＲＦＩＤタグに送信し、測定データの重畳した反射波を受信して測定データを読取る。【選択図】        図１
2007310506.tif 000002
【特許請求の範囲】
【請求項１】
住宅等の建築物における壁内面，天井裏，屋根裏，床下等の必要箇所にセンサ機能付きＲＦＩＤタグを設置し、更には前記センサ機能付きＲＦＩＤタグにひび割れ検知センサ，雨漏り検知センサ，歪み検知センサ，結露検知センサ，火災検知センサ，振動検知センサの何れかを１つ以上接続し、外部のリーダーよりデータ読取りコマンドを前記センサ機能付きＲＦＩＤタグに送信し、測定データの重畳した反射波を受信して測定データを読取ることを特徴とする、住宅内環境情報取得管理システム。
【請求項２】
請求項１に記載のリーダーは任意に移動して測定可能なハンディリーダーであり、測定終了後にインターネット端末を経由してインターネットに接続し、当該インターネットに接続された管理センター内のサーバーに測定データを伝送及び蓄積するとともに解析処理を行い、得られた解析結果を前記インターネット端末に伝送することを特徴とする、住宅内環境情報取得管理システム。
【請求項３】
請求項１に記載のリーダーは予め決められた位置に設置した固定リーダーであり、ＰＬＣモデムを経由してインターネット端末に接続するとともに前記インターネット端末を経由してインターネットに接続し、当該インターネットに接続された管理センター内のサーバーに測定データを伝送及び蓄積するとともに解析処理を行い、得られた解析結果を前記インターネット端末に伝送することを特徴とする、住宅内環境情報取得管理システム。
【請求項４】
請求項２又は請求項３に記載のインターネット端末において、サーバーより伝送された解析結果に基づき、壁のひび割れ，雨漏り，歪み，結露，火災，振動等の情報を表示し、緊急性を有する場合には前記インターネット端末又は警報装置にて警報を発することを特徴とする、住宅内環境情報取得管理システム。
【請求項５】
アンテナの両側に靭性シートを貼着し、前記アンテナの中央部を応力変化により容易に変形又は切断される構造とすることにより、センサを使用せずにひび割れや歪みの発生を検知することができることを特徴とした、住宅内環境情報取得管理システム。
【請求項６】
アンテナの全面に吸水シートを被着して水分が容易に吸収される構造とすることにより、キャリア周波数が２．４５ＧＨｚや９５３ＭＨｚ帯のマイクロ波を使用したシステムにおいてセンサを使用せずに雨漏りや結露の発生を検知することができることを特徴とした、住宅内環境情報取得管理システム。
【発明の詳細な説明】
【技術分野】
【０００１】
本発明は、住宅等の建築物において欠陥や経年変化に伴って発生する壁のひび割れ，雨漏り，歪み等の情報と、生活や自然現象に伴って発生する結露，火災，振動等の情報を、外部より容易に取得して管理することができる、住宅内環境情報取得管理システムに関するものである。
【背景技術】
【０００２】
従来、住宅等（マンション，ビル等の建築物も含むものとし、以後単に住宅と言う）の建築物において、構造的な欠陥や長期使用による経年変化に伴い、壁のひび割れ，雨漏り，歪み等が発生し，生活状況により結露や火災が発生し、更には地震等による揺れが発生し、老朽化や災害時における被害拡大等の様々な問題の原因となっていた。このため、住宅メーカーやメンテナンス会社は定期的に住宅を巡回して保守点検を行い、更には当該住宅の所有者も独自に保守点検を行っていた。
【０００３】
しかし、上記住宅メーカーやメンテナンス会社及び当該住宅の所有者による保守点検は目視による外観検査が主体であり、熟練度の程度により問題箇所を見逃してしまうことがあった。また、壁の内面や天井及び屋根裏等における保守点検は容易に行うことができず、問題箇所を見つけられないことが多々あった。
【０００４】
このため、例えば特開２００２−１４０７７４号公報の『住宅管理方法』では、光ファイバを埋設した建材を使用して住宅を建築し、更には壁内面，天井裏，屋根裏，床下等にも光ファイバを敷設し、前記光ファイバの信号伝送特性の経時変化をネットワークを経由して接続されたホストコンピュータにて監視することにより、住宅の歪み，水漏れ，結露，火災等の情報を取得する方法について記載されている。
【０００５】
また、特開２００６−０２９９３１号公報の『建築構造物損傷検知装置』では、電磁波の搬送波で送信される信号の変復調及びＤＣ電源の生成を行うためのＲＦアナログ回路，チップ動作制御を行う論理回路，ひずみセンサ信号の増幅回路及びひずみセンサ回路を同一シリコン基板上に形成した装置を建築構造物の内部又は表面に配置し、リーダーにて前記ひずみデータを測定して建築構造物の損傷等を検知する方法について記載されている。
【０００６】
【特許文献１】特開２００２−１４０７７４
【特許文献２】特開２００６−０２９９３１
【発明の開示】
【発明が解決しようとする課題】
【０００７】
しかしながら、上記特開２００２−１４０７７４号公報に記載のものは、住宅の歪み情報を取得するために光ファイバを埋設した特殊な建材を使用し、更に住宅の水漏れ，結露，火災等の情報を取得するために光ファイバを壁の内面や天井及び屋根裏に敷設する必要があるため、高価な建材と光ファイバの敷設及び接続装置や解析装置の設置などにより建築コストが高くなってしまうという問題点があった。更には問題箇所の位置を正確に検出するのが困難であるという問題点があった。
【０００８】
また、上記特開２００６−０２９９３１号公報に記載のものは、外部のリーダーと測定データの伝送を行うためのＲＦアナログ回路，論理回路，増幅回路及びひずみセンサ回路を同一シリコン基板上に形成するとあるが、前記シリコン基板の外形寸法は数ミリ角程度で非常に小さく、これをコンクリートや建材等の表面に設置又は埋設しても歪みを検出することができず測定不可能である。また、電磁波より生成される電力は微小であるため、増幅回路やひずみセンサ回路等を直に駆動することは困難である。したがって、産業上実施できるものではない。また、特定のセンサ回路を同一シリコン基板上に形成すると汎用性がなくなり、装置価格が高くなってしまうという問題点があった。
【０００９】
本発明は、上記問題点を解決するために成されたものであり、住宅等の建築物において欠陥や経年変化に伴って発生する壁のひび割れ，雨漏り，歪み等の情報と、生活や自然現象に伴って発生する結露，温度，振動等の情報を、外部より容易に取得管理して問題箇所の正確な特定と緊急性を有する場合には警報を行うことができ、更にはシステム構築が安価に実施できる、住宅内環境情報取得管理システムを提供することを目的とする。
【課題を解決するための手段】
【００１０】
上記課題を解決するため、本発明の住宅内環境情報取得管理システムにおいては、住宅等の建築物における壁内面，天井裏，屋根裏，床下等の必要箇所にセンサ機能付きＲＦＩＤ（Radio Frequency Identification）タグを設置し、更には前記センサ機能付きＲＦＩＤタグにひび割れ検知センサ，雨漏り検知センサ，歪み検知センサ，結露検知センサ，火災検知センサ，振動検知センサの何れかを１つ以上接続し、外部のリーダーよりデータ読取りコマンドを前記センサ機能付きＲＦＩＤタグに送信し、測定データの重畳した反射波を受信して測定データを読取る。
【００１１】
上記リーダーは任意に移動して測定可能なハンディリーダーであり、測定終了後にインターネット端末を経由してインターネットに接続し、当該インターネットに接続された管理センター内のサーバーに測定データを伝送及び蓄積するとともに解析処理を行い、得られた解析結果を前記インターネット端末に伝送する。
【００１２】
上記リーダーは予め決められた位置に設置した固定リーダーであり、ＰＬＣ（Power Line Communication）モデムを経由してインターネット端末に接続するとともに前記インターネット端末を経由してインターネットに接続し、当該インターネットに接続された管理センター内のサーバーに測定データを伝送及び蓄積するとともに解析処理を行い、得られた解析結果を前記インターネット端末に伝送する。
【００１３】
上記インターネット端末において、サーバーより伝送された解析結果に基づき、壁のひび割れ，雨漏り，歪み，結露，火災，振動等の情報を表示し、緊急性を有する場合には前記インターネット端末又は警報装置にて警報を発する。
【発明の効果】
【００１４】
本発明の住宅内環境情報取得管理システムによれば、安価なセンサ機能付きＲＦＩＤタグを住宅等の建築物における壁内面，天井裏，屋根裏，床下等の必要箇所に必要センサを接続して設置し、外部のリーダーより測定データを読取ることにより、壁のひび割れ，雨漏り，歪み，結露，温度，振動等の情報を容易に取得管理することができるため、問題箇所の正確な特定と緊急性を有する場合には警報を行うことができ、更にはシステム構築が安価に実施できるという絶大なる効果を奏する。
【発明を実施するための最良の形態】
【００１５】
本発明を実施するための最良の形態を図を用いて説明する。図１は本発明の住宅内環境情報取得管理システムにおけるセンサ機能付きＲＦＩＤタグの設置方法を示した図であり、センサ２を接続したセンサ機能付きＲＦＩＤタグ１を、住宅の外壁３と内壁５との間において間柱４にて形成された空間の外壁３側の表面に設置した状態を示している。なお、該図では外壁３はＡＬＣ（軽量気泡コンクリート），内壁５は石膏ボードをイメージしているが、該構成に限定することなく如何なる素材を使用したものであっても構わない。
【００１６】
ここで、住宅の壁内面，天井裏，屋根裏，床下等の必要箇所に上記センサ機能付きＲＦＩＤタグ１を設置し、更には前記センサ機能付きＲＦＩＤタグ１にひび割れ検知センサ，雨漏り検知センサ，歪み検知センサ，結露検知センサ，火災検知センサ，振動検知センサの何れかのセンサ２を１つ以上接続し、外部のリーダーよりデータ読取りコマンドを前記センサ機能付きＲＦＩＤタグ１に送信し、測定データの重畳した反射波を受信して測定データを読取る。
【００１７】
上記ひび割れ検知センサや歪み検知センサとしてはストレイン・ゲージや磁気センサ等が利用でき、雨漏り検知センサや結露検知センサとしては導電センサや湿度センサ等が利用でき、火災検知センサとしてはサーミスタ等の温度センサが利用でき，更には振動検知センサとしては動電型加速度センサ等が利用できるが、何れも前記センサに限定することはない。
【００１８】
図２は本発明の住宅内環境情報取得管理システムにおける歪み測定の原理図であり、（ａ）は外壁３の接合部が横方向の状態を示し、（ｂ）は外壁３の接合部が縦方向の状態を示している。何れの状態においても、歪み検知用のセンサ２を外壁３の接合部に設置し、更に当該センサ２にセンサ機能付きＲＦＩＤチップ１９及びアンテナ２０で構成されるセンサ機能付きＲＦＩＤタグ１を接続して、外部のリーダーより測定データを読取ることにより、図中矢印で示した上下・左右方向の歪みと前後方向の歪みを測定することができる。
【００１９】
図３は本発明の住宅内環境情報取得管理システムの第一実施例におけるネットワーク構成図であり、外部のリーダーとして任意に移動して測定可能なハンディリーダー６を使用したものである。ここで、住宅メーカーやメンテナンス会社及び当該住宅の所有者による保守点検を行う場合、図１に示したように前記ハンディリーダー６を内壁５の内面に設置されたセンサ機能付きＲＦＩＤタグ１に接近させて電磁誘導又は電波による無線通信を行い、センサ２の種類に応じた測定データを読取る。次に、測定終了後において前記ハンディリーダー６をＵＳＢコネクタ９を中継し、インターネット端末としてのパソコン１０を経由してインターネット１１に接続し、当該インターネット１１に接続された管理センター１２内のサーバー１３に前記測定データを伝送及び蓄積するとともに解析処理を行い、得られた解析結果を前記パソコン１０に伝送する。
【００２０】
図４は本発明の住宅内環境情報取得管理システムの第二実施例におけるネットワーク構成図であり、外部のリーダーとして予め決められた位置に設置した固定リーダー１６を使用したものである。該実施例による測定データの読取りは任意又は一定周期にて自動的に行われる。この場合、固定リーダー１６を接続したＰＬＣモデム１５を予め区分けされたブロック毎に設置して電力線１４に接続し、前記ブロック内に設置されたセンサ機能付きＲＦＩＤタグ１と電磁誘導又は電波による無線通信を行い、センサ２の種類に応じた測定データを読取る。次に、測定終了後においてマスター機能を有するＰＬＣモデム１５ａを、インターネット端末としてのパソコン１０を経由してインターネット１１に接続し、当該インターネット１１に接続された管理センター１２内のサーバー１３に前記測定データを伝送及び蓄積するとともに解析処理を行い、得られた解析結果を前記パソコン１０に伝送する。
【００２１】
また、インターネット端末であるパソコン１０において、サーバー１３より伝送された解析結果に基づき、壁のひび割れ，雨漏り，歪み，結露，火災，振動等の情報を表示し、緊急性を有する場合として例えば雨漏りや火災の発生可能性が高いと判断されたときや地震による振動で被害が発生しやすい箇所が検出されたときには前記インターネット端末であるパソコン１０又は別に設置された警報装置１８にて警報を発する。
【００２２】
次に、図５は本発明の住宅内環境情報取得管理システムで用いるセンサ機能付きＲＦＩＤタグの回路ブロック図であり、センサ機能付きＲＦＩＤタグ１は、各種センサ２を接続して各種測定データを取得するＡ／Ｄ変換回路３０を内蔵したセンサ機能付きＲＦＩＤチップ１９と、当該センサ機能付きＲＦＩＤチップ１９のＲＦ部にアンテナ２０を接続して構成する。
【００２３】
上記アンテナ２０はハンディリーダー６又は固定リーダー１６と電磁誘導又は電磁波による無線通信を行うため、センサ入力機能付きＲＦＩＤタグ１内又は一部センサ入力機能付きＲＦＩＤタグ１外の同調キャパシタ（図示せず）から成る同調回路２１に接続し、本発明の住宅内環境情報取得管理システムで使用するキャリア周波数、例えば１３．５６ＭＨｚや２．４５ＧＨｚ又は９５２ＭＨｚ帯等に同調させて共振回路を構成する。
【００２４】
上記同調回路２１の後段には、ハンディリーダー６のアンテナ７又は固定リーダー１６のアンテナ１７から出力された電磁界又は電磁波が当該センサ入力機能付きＲＦＩＤタグ１のアンテナ２０を通過した時に発生する誘導起電力の電圧波形を検波したり、該誘導起電力を半波又は全波整流して直流電圧を取り出すための整流回路２２を接続する。
【００２５】
次に、上記整流回路２２の後段には、検波したキャリアを分周してシステム用のクロックを生成するためのクロック生成回路２３と、信号受信時においてキャリアから信号を取り出す復調動作を行ったり信号送信時においてスイッチング素子（図示せず）により変調動作を行うための変復調回路２４と、上記直流電圧を安定化して回路電源を供給したり、充電用コンデンサ２６に充電電圧を供給するための電源回路２５を接続する。該充電用コンデンサ２６は一般的にはセラミックコンデンサであり、電力を必要とする場合には電気二重層コンデンサが好適であるが、特に限定するものではない。
【００２６】
次に、上記変復調回路２４の後段には、該変復調回路２４の制御や不揮発性メモリであるＦＲＡＭ（Ferroelectric RAM：米国Ramtron社の登録商標）２８に対する当該センサ入力機能付きＲＦＩＤタグ１のＩＤデータや測定データ等の書込み又は読出し制御及びＡ／Ｄ変換回路３０の制御を行うためのロジック回路２７を接続する。
【００２７】
上記ＦＲＡＭ２８は強誘電体型の不揮発性メモリであり、回路電源がＯＦＦになっても当該センサ入力機能付きＲＦＩＤタグ１のＩＤデータや測定データ等は消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように、不揮発性メモリとしてはＦＲＡＭ２８が好適であるが、他のメモリを使用しても構わない。
【００２８】
図６は図５におけるＡ／Ｄ変換回路の詳細ブロック図である。該ブロック図において、センサ２は複数個入力することができ、例えばセンサ２ａとして雨漏り検知センサを接続し，センサ２ｂとして歪み検知センサを接続し，センサ２ｃとして振動検知センサをアナログマルチプレクサ３１に接続してサンプリングを行い、選択された入力信号をスケーラーアンプ３２にて適正レベルにスケーリングした後、Ａ／Ｄコンバータ３３に接続して測定データを得る。
【００２９】
図７は本発明の住宅内環境情報取得管理システムで用いるハンディリーダーの回路ブロック図であり、ハンディリーダー６は、上記センサ機能付きＲＦＩＤタグ１と電磁誘導又は電磁波による無線通信を行うため、アンテナ７を接続したＲＦ通信回路３４と、読取った測定データを表示する表示制御回路３７及びＬＣＤモニタ８と、前記測定データの蓄積及びプログラムデータを蓄積するメモリ３６と、インターネット端末とＵＳＢ接続して測定データの伝送を行うＵＳＢインターフェース回路３８と、前記各回路ブロックに電源供給を行うため、電源回路３９にバッテリー４０を接続して構成する。
【００３０】
また、図８はセンサ機能付きＲＦＩＤタグのアンテナをセンサとして利用する方法を示した図であり、（ａ）はひび割れ検知センサや歪み検知センサの代替方法、（ｂ）は雨漏り検知センサや結露検知センサの代替方法である。（ａ）はアンテナ１８ａの両側に靭性シート４２，４２を貼着し、前記アンテナ１８ａの中央部を応力変化により容易に変形又は切断される構造とする。ここで、前記構造のアンテナ１８ａをひび割れや歪みを検知したい場所に設置しておき、ひび割れや歪みの発生により前記アンテナ１８ａの中央部が変形又は切断された場合には、アンテナ回路の同調がずれ又は共振が停止してリーダーとの通信が行えなくなる。従って、予め判っているセンサ機能付きＲＦＩＤチップ１７ａのＩＤデータが読取れなくなることにより、比較的大きなひび割れや歪みの発生を検知することができる。（ｂ）はアンテナ１８ｂの全面に吸水シート４１を被着して水分が容易に吸収される構造とする。ここで、前記構造のアンテナ１８ｂを雨漏りや結露を検知したい場所に設置しておき、雨漏りや結露の発生により前記アンテナ１８ｂの全面が水分を含んだ吸水シート４２で覆われた状態となると、キャリア周波数が２．４５ＧＨｚや９５３ＭＨｚ帯のマイクロ波を使用したシステムではリーダーとの通信が行えなくなる。従って、予め判っているセンサ機能付きＲＦＩＤチップ１７ｂのＩＤデータが読取れなくなることにより、雨漏りや結露の発生を検知することができる。
【実施例】
【００３１】
本発明の実施例を図を用いて説明する。
【００３２】
図９は本発明の住宅内環境情報取得管理システムの第一実施例における住宅へのセンサ機能付きＲＦＩＤタグの配置及び測定状態図である。該図においては、一般の住宅において構造的な欠陥や長期使用による経年変化に伴う壁のひび割れ，雨漏り，歪み等の情報及び生活や自然現象に伴って発生する結露，火災，振動等の情報を取得すべく、施工時に屋根４４の裏側，天井４５の裏側，出窓４６の接合部内面，壁４７の内面，バルコニー４８の接合部内面，浴槽４９の水周り部，システムキッチン５０の水周り部等に、ひび割れ検知センサ，雨漏り検知センサ，歪み検知センサ，結露検知センサ，火災検知センサ，振動検知センサ等の各種センサ２を接続したセンサ機能付きＲＦＩＤタグ１を複数設置しておく。
【００３３】
ここで、住宅メーカーやメンテナンス会社及び当該住宅の所有者による保守点検を行う場合、予め設置位置が判っているセンサ機能付きＲＦＩＤタグ１にハンディリーダー６を接近させることにより、センサ２の種類に応じた測定データを読取ることができる。測定終了後は、図３の説明で述べたようにハンディリーダー６をＵＳＢコネクタ９を中継し、インターネット端末としてのパソコン１０を経由してインターネット１１に接続し、当該インターネット１１に接続された管理センター１２内のサーバー１３に前記測定データを伝送及び蓄積するとともに解析処理を行い、得られた解析結果を前記パソコン１０に伝送する。
【００３４】
次に、インターネット端末であるパソコン１０において、サーバー１３より伝送された解析結果に基づき、壁のひび割れ，雨漏り，歪み，結露，火災，振動等の情報を表示し、緊急性を有する場合として例えば雨漏りや火災の発生可能性が高いと判断されたときや地震による振動で被害が発生しやすい箇所が検出されたときには前記インターネット端末であるパソコン１０又は別に設置された警報装置１８にて警報を発することにより住宅の管理を容易に行うことができる。
【００３５】
図１０は本発明の住宅内環境情報取得管理システムの第二実施例における住宅へのセンサ機能付きＲＦＩＤタグの配置及び測定状態図である。該図においては、一般の住宅において構造的な欠陥や長期使用による経年変化に伴う壁のひび割れ，雨漏り，歪み等の情報及び生活や自然現象に伴って発生する結露，火災，振動等の情報を取得すべく、施工時に屋根４４の裏側，天井４５の裏側，出窓４６の接合部内面，壁４７の内面，バルコニー４８の接合部内面，浴槽４９の水周り部，システムキッチン５０の水周り部等に、ひび割れ検知センサ，雨漏り検知センサ，歪み検知センサ，結露検知センサ，火災検知センサ，振動検知センサ等の各種センサ２を接続したセンサ機能付きＲＦＩＤタグ１を複数設置しておき、更には固定リーダー１６を接続したＰＬＣモデム１５を予め区分けされたブロック毎に設置して電力線１４に接続しておく。
【００３６】
該実施例においては、測定データの読取りは任意又は一定周期にて自動的に行われ、固定リーダー１６にてブロック内に設置されたセンサ機能付きＲＦＩＤタグ１に接続されたセンサ２の種類に応じた測定データを自動的に読取ることができる。測定終了後は、図４の説明で述べたようにマスター機能を有するＰＬＣモデム１５ａを、インターネット端末としてのパソコン１０を経由してインターネット１１に接続し、当該インターネット１１に接続された管理センター１２内のサーバー１３に前記測定データを伝送及び蓄積するとともに解析処理を行い、得られた解析結果を前記パソコン１０に伝送する。
【００３７】
次に、インターネット端末であるパソコン１０において、サーバー１３より伝送された解析結果に基づき、壁のひび割れ，雨漏り，歪み，結露，火災，振動等の情報を表示し、緊急性を有する場合として例えば雨漏りや火災の発生可能性が高いと判断されたときや地震による振動で被害が発生しやすい箇所が検出されたときには前記インターネット端末であるパソコン１０又は別に設置された警報装置１８にて警報を発することにより住宅の管理を容易に行うことができる。
【図面の簡単な説明】
【００３８】
【図１】本発明の住宅内環境情報取得管理システムにおけるセンサ機能付きＲＦＩＤタグの設置方法を示した図である。
【図２】本発明の住宅内環境情報取得管理システムにおける歪み測定の原理図である。
【図３】本発明の住宅内環境情報取得管理システムの第一実施例におけるネットワーク構成図である。
【図４】本発明の住宅内環境情報取得管理システムの第二実施例におけるネットワーク構成図である。
【図５】本発明の住宅内環境情報取得管理システムで用いるセンサ機能付きＲＦＩＤタグの回路ブロック図である。
【図６】図５におけるＡ／Ｄ変換回路の詳細ブロック図である。
【図７】本発明の住宅内環境情報取得管理システムで用いるハンディリーダーの回路ブロック図である。
【図８】センサ機能付きＲＦＩＤタグのアンテナをセンサとして利用する方法を示した図である。
【図９】本発明の住宅内環境情報取得管理システムの第一実施例における住宅へのセンサ機能付きＲＦＩＤタグの配置及び測定状態図である。
【図１０】本発明の住宅内環境情報取得管理システムの第二実施例における住宅へのセンサ機能付きＲＦＩＤタグの配置及び測定状態図である。
【符号の説明】
【００３９】
１  センサ機能付きＲＦＩＤタグ
２  センサ
３  外壁
４  間柱
５  内壁
６  ハンディリーダー
７  アンテナ
８  ＬＣＤモニタ
９  ＵＳＢコネクタ
１０  パソコン
１１  インターネット
１２  管理センター
１３  サーバー
１４  電力線
１５  ＰＬＣモデム
１６  固定リーダー
１７  アンテナ
１８  警報装置
１９  センサ機能付きＲＦＩＤチップ
２０  アンテナ
２１  同調回路
２２  整流回路
２３  クロック生成回路
２４  変復調回路
２５  電源回路
２６  充電用コンデンサ
２７  ロジック回路
２８  ＦＲＡＭ
２９  信号端子
３０  Ａ／Ｄ変換回路
３１  アナログマルチプレクサ
３２  スケーラーアンプ
３３  Ａ／Ｄコンバータ
３４  ＲＦ通信回路
３５  ＣＰＵ
３６  メモリ
３７  表示制御回路
３８  ＵＳＢインターフェース回路
３９  電源回路
４０  バッテリー
４１  靭性シート
４２  吸水シート
４３  住宅
４４  屋根
４５  天井
４６  出窓
４７  壁
４８  バルコニー
４９  浴槽
５０  システムキッチン
【図１】
2007310506.tif 000003
【図２】
2007310506.tif 000004
【図３】
2007310506.tif 000005
【図４】
2007310506.tif 000006
【図５】
2007310506.tif 000007
【図６】
2007310506.tif 000008
【図７】
2007310506.tif 000009
【図８】
2007310506.tif 000010
【図９】
2007310506.tif 000011
【図１０】
2007310506.tif 000012